(57)【要約】      （修正有）【課題】額縁と一体的に自立させて使用することができ、額縁に簡単に着脱することができる、照明器具付き額縁スタンドを提供する。【解決手段】光透過性を有した作品等を収納した額縁９の裏面からバックライト照明Ｃを照射して展示する額縁スタンドＡであって、額縁の裏板と同じ外形を有した装着板１を設け、その装着板にはバックライト照明からの光を透過させる開口部が形成され、その開口部の裏側にバックライト照明を取り付け、その装着板には、前記額縁を立て掛ける支持脚Ｄが取り付けられている。【選択図】図１
0003189270.tif 000002
【実用新案登録請求の範囲】
【請求項１】
光透過性を有した作品等を収納した額縁の裏面からバックライト照明を照射して展示する額縁スタンドであって、額縁の裏板と同じ外形を有した装着板を設け、その装着板にはバックライト照明からの光を透過させる開口部が形成され、その開口部の裏側にバックライト照明を取り付け、その装着板には、前記額縁を立て掛ける支持脚が取り付けられている照明器具付き額縁スタンド。
【請求項２】
前記額縁と前記装着板とが前記額縁に取り付けられたトンボによって、着脱自在であることを特徴とする請求項１に記載の照明器具付き額縁スタンド。
【考案の詳細な説明】
【技術分野】
【０００１】  この考案は、額縁に簡単に着脱できる、バックライティング（背面から照らす）照明器具付き額縁スタンドに関するものである。
【背景技術】
【０００２】  従来、鏡（ミラー）の加工作品（鏡の塗膜の一部を剥離してその部分の鏡の反射機能をなくして光を通すようにしたもの）等のように、光透過性のあるものを額縁に入れ、それに裏側（背面）から照明を当てて、作品に施した加工文字や図案等を光で浮かび上がらせるものがある。また、光を通す透明素材のガラスやアクリル板等に新郎新婦の写真や記念写真、或いは、故人の遺影等をフイルムに転写して貼り付け、その裏面からバックライト照明を当てて写真等を光で効果的に浮かび上がらせるものがある。
【考案の概要】
【考案が解決しようとする課題】
【０００３】  そうした展示品を、結婚式場や葬儀会場で展示し、終了後にそれを当事者に記念品として持ち帰ってもらうには、バックライト照明装置が含まれている時点で高価なものになる。また、それを貰う人も、バックライト照明装置のない通常の額縁に入った記念品として貰いたいという要望もある。本考案は、こうした要望に応えることができる新たな照明器具付き額縁スタンドを提供することを課題とする。
【課題を解決するための手段】
【０００４】  本考案に係る照明器具付き額縁スタンドは、光透過性を有した作品等を収納した額縁の裏面からバックライト照明を照射して展示する額縁スタンドであって、額縁の裏板と同じ外形を有した装着板を設け、その装着板にはバックライト照明からの光を透過させる開口部が形成され、その開口部の裏側にバックライト照明が取り付けられ、その装着板には、さらに前記額縁を立て掛ける支持脚が取り付けられていることを特徴とする。【０００５】  周知のように、通常の額縁は、留め具としてのトンボを操作して裏板を外し、そこに作品をセットするが、この考案は、その裏板の替わりに照明器具付き額縁スタンドを着脱可能に装着する。そして、額縁に収納された光透過性の作品をバックライト照明でもって浮かび上がらせるように構成し、それが不要になれば、その額縁スタンドを取り外して、当初から用意されていた裏板を嵌めれば、作品の収納された通常の額縁となるように構成する。【０００６】  そのために、本考案では、まず、裏板と同じ外形を有する装着板を用意し、その装着板の周縁を残して、中央部分を刳り貫いて開口部とする。その開口部は、バックライト照明を照射する窓となるので、その開口部周縁にバックライト照明を収納したボックスを取り付ける。そして、ボックス内のバックライトを点灯すれば、開口部全面にバックライト照明が照射され、光透過性の作品を光で浮かび上がらせることができる。また、そのボックスには、額縁を立て掛ける支持脚を取り付けておく。この支持脚は、長さが調整自在であるものが好ましく、それを調整することにより、立て掛けた額縁の傾斜角度を調整する。【０００７】  使用に際しては、例えば、結婚式を想定した場合では、まず、式場を設営する事業者（ホテル等）側に、記念品として渡す額縁と、そこに収納して展示する鏡（ミラー）の加工作品等の光透過性の作品とを用意させる。そして、額縁の裏板を外したところに、その裏板に適合する大きさの照明器具付き額縁スタンドをセットし、それを事業者に貸し出す。事業者は、それを会場に展示して結婚式を演出する。披露宴の終了後には、その額縁スタントを回収し、その代わりに、当初の裏板を額縁に装着して、展示された作品を記念品として当事者に渡す。【０００８】  そのために、こうした照明器具付き額縁スタンドを種々の形状の額縁や各種のサイズに合ったものを複数セット用意しておく。そして、額縁が決まれば、それに適合する額縁スタンドを事業者にレンタルし、繰り返し利用できるようにして、使用後は、それを回収する。また事業者は、作品が収納された額縁を記念品として当事者に渡す。
【考案の効果】
【０００９】  本考案によれば、事業者が用意した額縁に、照明器具付き額縁スタンドを装着するだけで、バックライティングされた作品として効果的な展示や演出を行うことができるし、それを外せば、額縁に収納された作品を通常の記念品として当事者に手渡すことができるから、展示品を何れにも切り替えることのできる安価なバックライティング照明展示を提供することができる。
【図面の簡単な説明】
【００１０】
【図１】本考案に係る照明器具付き額縁スタンドの使用状態（額縁を装着してテーブル上に置いた）を示した側面図である。
【図２】上記額縁スタンドの正面図（ａ）及び側面図（ｂ）である。
【図３】上記額縁スタンドの額縁を装着した背面図である。
【考案を実施するための形態】
【００１１】  以下、本考案を実施するための形態について説明する。
本考案に係る照明器具付き額縁スタンドＡは、額縁９の裏板に適合する大きさの装着板１と、その装着板１に取り付けられるボックスＢと、そのボックスＢ内に収納されるバックライト用のＬＥＤ照明器具Ｃと、額縁９を立て掛ける支持脚Ｄとで構成される。
【００１２】  額縁９には、矩形のものから楕円形のもの等、種々の形状のものがあり、また、そのサイズも種々のものがあるので、装着板１は、それらの額縁９に装着される裏板に対応させて、種々の形状のものを用意しておく。図では、その一例として矩形のものを表示しているが、これに限定されるものではない。そして、その装着板１の周縁をトンボ１１で固定できる幅を残して、中央部分を刳り貫いて開口部βを形成しておく。この開口部βは、バックライトを照射する窓となる。
【００１３】  次に、その開口部βを覆うようにボックスＢを装着板１に取り付ける。このボックスＢは、天板２と側板３と背板４と底板５とで構成されている。また、その内部には、バックライト照明となるＬＥＤ照明器具Ｃが収納されている。
【００１４】  側板３は、額縁９を立て掛ける支持脚Ｄとなるもので、そのために、側板３の下端部を延長させて、額縁９を立て掛けたときに、最も見易い角度αに傾斜するよう、その形状を特定している。このように、この実施形態では、側板３を支持脚Ｄとして形成しているが、これに限定されるものではなく、それに替えて、例えば、長さが調整できる別個の支持脚を側板３や背板４に取り付け、その長さ調整によって最適な傾斜角度となる調整しても良い。
【００１５】  ＬＥＤ照明器具Ｃは、ソケット６とそれに接続された電気コード７と、ソケット６に取り付けられたＬＥＤ電球８とで構成されている。このバックライト照明をＬＥＤで構成したことにより、照明時の発熱を抑えることができるから、鏡やガラス等の熱膨張による破損防止ができるし、ボックスＢを密閉して、そこから光が漏れないようにすることができる。また、消費電力も押さえることができる。
【００１６】  なお、こうした額縁スタンドは、合板で作っても良いし、合成樹脂で成形したものでも良い。
【００１７】  そして、この照明器具付き額縁スタンドを額縁９に装着するときは、裏板が取り付けられていたトンボ１１を操作して、額縁９に着脱自在に取り付ける。
【００１８】  額縁に入れる光透過性のある作品等は、使用する目的等によって簡単に入れ替えて使用することができる。例えば、ホテル等で挙式や披露宴を行う際に、新郎新婦毎の名前や挙式年月日が入った鏡（ミラー）の加工作品（鏡の塗膜の一部を剥離してその部分の鏡の反射機能をなくして光を通すようにしたもの）を照明器具付き額縁スタンドに装着し、ライトアップさせてウェルカムボードとして使用することができる。この場合、新郎新婦は額縁に入った鏡（ミラー）の加工作品を記念品として持ち帰ることができる。また、雑貨店等のお正月やクリスマス等カレンダー行事に合わせた店内ディスプレイ用としても使用できる。また、飲食店等のお店の看板としても使用できる。
【００１９】  以上、本考案の一実施形態を説明したが、本考案は、これに限定されるものではなく、その他の形態も採用可能である。例えば、照明器具は、照らしたい明るさ等によって数を増やすこともできるし、照明器具の種類も電球だけではなく、蛍光灯型やスクリーンタイプの薄型等も考えられる。その場合には、必要に応じて、空冷用の換気口を設けても良い。また、ＬＥＤ電球も単色ではなく、複数色のＬＥＤを収納して、それらを点滅させたりしても良い。さらに、以上の実施形態では、テーブル上に設置する場合であったが、額縁を壁に吊り下げる場合では、前記ボックスＢを箱型にして、そのボックスの裏面に壁掛け用の金具を取り付けるか、或いは、額縁に取り付けられた吊り下げ金具を利用して壁から吊り下げるようにしてもよい。
【符号の説明】
【００２０】  Ａ  額縁スタンド
Ｂ  ボックス
Ｃ  ＬＥＤ照明器具
Ｄ  支持脚
１  装着板（前板）
２  天板
３  側板
４  背板
５  底板
６  ソケット
７  電気コード
８  ＬＥＤ電球
９  額縁
１０  額縁に入れる作品等（背面から照らしたい光透過性のある作品等）
１１  トンボ（額縁の裏板を押さえる留め具）
α  角度（約７０度）
β  開口部
【図１】
0003189270.tif 000003
【図２】
0003189270.tif 000004
【図３】
0003189270.tif 000005